(57)【要約】【課題】電池の脱落を防止しかつ電池係止部の操作性がよいカメラを提供する。【解決手段】電池が収容される収容空間部２１を有する電池室２０と、電池室２０に設けられた回転軸６２と、収容空間部２１に電池が挿入される通路内に突き出した係止位置と、通路から外側へ退避した退避位置との間を、回転軸６２を中心に回転して移動する電池係止部６１とを備え、係止位置における電池係止部６１の電池との接触面は、その少なくとも一部が、回転軸６２を含みかつ接触面に対して垂直な面よりも退避位置側において電池と接するカメラとする。【選択図】図１
2006039075.tif 000002
【特許請求の範囲】
【請求項１】
電池が収容される収容空間部を有する電池室と、
前記電池室に設けられた回転軸と、
前記収容空間部に前記電池が挿入される通路内に突出した係止位置と、前記通路から外側へ退避した退避位置との間を、前記回転軸を中心に回転して移動する電池係止部と
を備え、
前記係止位置における前記電池係止部の前記電池との接触面は、その少なくとも一部が、前記回転軸を含みかつ前記接触面に対して垂直な面よりも前記退避位置側において前記電池と接すること
を特徴とするカメラ。
【請求項２】
電池が収容される収容空間部を有する電池室と、
前記電池室に設けられた回転軸と、
前記収容空間部に前記電池が挿入される通路内に突出した係止位置と、前記通路から外側へ退避した退避位置との間を、前記回転軸を中心に回転して移動する電池係止部と
を備え、
前記回転軸は、その軸方向に沿った延長線が、前記収容空間部内を通るように配置されていること
を特徴とするカメラ。
【請求項３】
請求項１又は請求項２に記載のカメラにおいて、
前記電池係止部は、前記収容空間部を挟んで前記回転軸に沿った方向の両側においてそれぞれ軸支されていること
を特徴とするカメラ。
【請求項４】
請求項１又は請求項２に記載のカメラにおいて、
前記電池係止部は、前記収容空間部の片側において軸支されていること
を特徴とするカメラ。
【請求項５】
請求項１から請求項４までのいずれか１項に記載のカメラにおいて、
前記電池係止部を前記係止位置側に付勢する電池係止部付勢部を備えること
を特徴とするカメラ。
【請求項６】
請求項１から請求項５までのいずれか１項に記載のカメラにおいて、
前記電池係止部は、前記収容空間部に挿入される前記電池から受ける押圧力によって、この電池係止部を前記退避位置側に移動させる退避機構部を備えること
を特徴とするカメラ。
【請求項７】
請求項１から請求項６までのいずれか１項に記載のカメラにおいて、
前記電池室は、前記収容空間部に収容された前記電池をその排出方向に付勢する電池付勢部を備えること
を特徴とするカメラ。
【請求項８】
請求項７に記載のカメラにおいて、
前記電池付勢部は、前記電池の電極と接する電極であること
を特徴とするカメラ。
【発明の詳細な説明】
【技術分野】
【０００１】
本発明は、電池収容部を改良したカメラに関するものである。
【背景技術】
【０００２】
デジタルカメラ、フィルムカメラ等のカメラは、電源用の電池が収容される電池室を備えている。カメラの電源用の電池は、電池室の蓋が開いた場合にも、その脱落を防止し、電源の供給を確保することが要求される場合がある。
例えば、デジタルカメラの場合には、カメラボディ内に挿入される着脱式の記憶媒体のスロットを、電池室と同じ蓋によってカバーする場合がある。この場合、撮影中に記憶媒体を交換するために蓋を開いた場合でも、カメラの電源がオンの状態に維持すべき場合があるから、電池の脱落を防止することが要望される。
また、カメラの使用中に、誤って電池室蓋が開いても、電池の脱落を防止し、電源の供給を確保すべき場合がある。例えば、デジタルカメラにおいて、撮影済み画像の記憶媒体への書き込み中に電源が切断されると、書き込み中の画像データが損なわれるおそれがある。
【０００３】
これに対し、従来、電池の脱落を防止するため、電池の排出方向側の端部に接する爪状の電池係止部を設けることが知られている（例えば、特許文献１を参照。）。これによれば、電池係止部は、電池室の側壁に設けられた軸周りに回転し、電池を着脱するときには、電池を係止する位置から、電池の通路上から退避する退避位置まで移動する。また、電池係止部は、バネによって電池係止位置側に付勢されている。
【０００４】
しかし、カメラ側と電池との導電を確保するために、弾性材料によって形成され電池側の接点を押圧するいわゆるバネ電極を用いる場合には、電池室内の電池は、常時その排出方向側に付勢される。電池が付勢されると、上述した電池係止部には、退避位置側に回転する回転モーメントが生ずるから、電池係止部を確実に係止位置側に留めるためには、電池係止部を付勢するバネを強力にしなければならない。しかし、このバネを強力にすると、電池の着脱時に爪部を退避させるのに大きな力が要求され、その操作性を損なうことになる。
【特許文献１】特開２００２−２８７２２５号公報
【発明の開示】
【発明が解決しようとする課題】
【０００５】
本発明の課題は、電池の脱落を防止しかつ電池係止部の操作性がよいカメラを提供することにある。
【課題を解決するための手段】
【０００６】
本発明は、以下のような解決手段により、前記課題を解決する。なお、理解を容易にするために、本発明の実施例に対応する符号を付して説明するが、これに限定されるものではない。
【０００７】
請求項１の発明は、電池が収容される収容空間部（２１）を有する電池室（２０）と、前記電池室（２０）に設けられた回転軸（６２）と、前記収容空間部（２１）に前記電池が挿入される通路内に突出した係止位置と、前記通路から外側へ退避した退避位置との間を、前記回転軸（６２）を中心に回転して移動する電池係止部（６１）とを備え、前記係止位置における前記電池係止部（６１）の前記電池との接触面は、その少なくとも一部が、前記回転軸（６２）を含みかつ前記接触面に対して垂直な面よりも前記退避位置側において前記電池と接することを特徴とするカメラである。
【０００８】
請求項２の発明は、電池が収容される収容空間部（２１）を有する電池室（２０）と、前記電池室（２０）に設けられた回転軸（６２）と、前記収容空間部（２１）に前記電池が挿入される通路内に突出した係止位置と、前記通路から外側へ退避した退避位置との間を、前記回転軸（６２）を中心に回転して移動する電池係止部（６１）とを備え、前記回転軸（６２）は、その軸方向に沿った延長線が、前記収容空間部（２１）内を通るように配置されていることを特徴とするカメラである。
【０００９】
請求項３の発明は、請求項１又は請求項２に記載のカメラにおいて、前記電池係止部（６１）は、前記収容空間部（２１）を挟んで前記回転軸（６２）に沿った方向の両側においてそれぞれ軸支されていることを特徴とするカメラである。
【００１０】
請求項４の発明は、請求項１又は請求項２に記載のカメラにおいて、前記電池係止部（６１）は、前記収容空間部（２１）の片側において軸支されていることを特徴とするカメラである。
【００１１】
請求項５の発明は、請求項１から請求項４までのいずれか１項に記載のカメラにおいて、前記電池係止部（６１）を前記係止位置側に付勢する電池係止部付勢部（６５）を備えることを特徴とするカメラである。
【００１２】
請求項６の発明は、請求項１から請求項５までのいずれか１項に記載のカメラにおいて、前記電池係止部（６１）は、前記収容空間部（２１）に挿入される前記電池から受ける押圧力によって、この電池係止部（６１）を前記退避位置側に移動させる退避機構部（６４）を備えることを特徴とするカメラである。
【００１３】
請求項７の発明は、請求項１から請求項６までのいずれか１項に記載のカメラにおいて、前記電池室（２０）は、前記収容空間部（２１）に収容された前記電池をその排出方向に付勢する電池付勢部（４０，５０）を備えることを特徴とするカメラである。
【００１４】
請求項８の発明は、請求項７に記載のカメラにおいて、前記電池付勢部は、前記電池の電極と接する電極（４０）であることを特徴とするカメラである。
【発明の効果】
【００１５】
本発明によれば、以下のような効果を奏することができる。
（１）電池係止部の電池との接触面のうち少なくとも一部は、電池によって押されたときに、電池係止部を、回転軸を中心として、係止位置に対して退避位置の反対側に回転させる回転モーメントを生ずるから、電池係止部が退避位置に移動することを防止できる。このため、電池係止部を係止位置側に付勢する場合に、その付勢力を弱くすることができ、退避位置に移動させる際の操作性が向上される。
（２）電池係止部を電池室の収容空間部の両側で軸支することによって、電池係止部の支持剛性を向上することができる。
（３）電池係止部を電池室の収容空間部の片側で軸支することによって、電池収容部をコンパクトにすることができる。
（４）収納空間部に挿入される電池から受ける押圧力によって電池係止部を退避位置側に移動させる退避機構部を備えることによって、電池を挿入する際に手動等によって電池係止部を移動させる必要がなく、操作性がより向上する。また、電池係止部を付勢する場合には、その付勢力を小さくすることができるから、退避機構部によって電池係止部を移動させることが容易である。
【発明を実施するための最良の形態】
【００１６】
本発明は、係止位置と退避位置との間を、回転軸を中心に回転移動する電池係止部は、その係止位置における電池との接触面の一部が、回転軸を含みかつ接触面に対して垂直な面よりも退避位置側において電池と接するようにしたことによって上述した課題を解決する。
【実施例１】
【００１７】
以下、図面等を参照して、本発明の実施例をあげて、さらに詳しく説明する。
図１は、本発明を適用したカメラの実施例１の電池収容部の構成を示す図であって、電池の収容時の状態を示す図である。図２は、図１の電池収容部における電池の着脱時の状態を示す図である。図３は、図１のIII部拡大図である。
【００１８】
図１に示すように、電池Ｂを収容する電池収容部１０は、電池室２０と、電池室蓋３０と、電極４０と、電池排出バネ５０と、電池係止装置６０とを有する。以下、各部について説明する。
【００１９】
電池Ｂは、例えば、略矩形の横断面形状を有する角柱状に形成され、その長手方向の一方の端面に、正負の接点Ｂｔがそれぞれ１箇所ずつ形成されている。
電池室２０は、電池Ｂがその長手方向に沿って挿入され、収容される収容空間２１を有し、矩形の箱状に形成されている。電池室２０は、その一方側の端部に、電池Ｂが挿入される開口２２が形成されている。なお、電池室２０は、図示しないカメラボディに収容される際には、正位置撮影時においては、開口２２を下方に向けて配置される。
【００２０】
電池室蓋３０は、開口２２の外周縁部の一つの短辺に沿って配置された回転軸３１回りに回転可能に軸支された板状の部材であり、この回転動作によって開口２２を開閉するものである。
【００２１】
電極４０は、電池室２０の開口２２と反対側の端部の端面２３から立設され、電池Ｂの２箇所の接点Ｂｔにそれぞれ対応して２つ設けられている。この電極４０は、弾性を有する金属によって形成され、その弾性力によって電池Ｂの接点Ｂｔに押圧するいわゆるバネ電極となっている。
【００２２】
電池排出バネ５０は、電池室２０の端面２２から立設され、上述した２つの電極４０の間に設けられている。電池排出バネ５０は、例えばバネ用合金等の弾性を有する材料によって形成されたコイルバネであり、電池Ｂをその排出方向に付勢するものである。
【００２３】
電池係止装置６０は、電池室２０の開口２２付近に設けられ、電池Ｂに当接する電池係止部６１と、電池室の側壁に設けられた回転軸６２と、電池係止部６１及び回転軸６２を連結する連結部６３と、電池係止部付勢バネ６４とを備えている。
電池係止部６１は、矩形の板状に形成され、電池室２０に収容された電池Ｂの排出方向側の端面に接触するものである。なお、このように電池係止部６１が、電池室２０に電池Ｂが挿入される通路内に突出し、電池Ｂに接しているときの電池係止装置６０の位置を、「係止位置」と称する。
電池係止部６１は、開口２２の周縁部において、電池室蓋３０の回転軸３１の反対側に設けられ、その長手方向を回転軸３１側に向けて配置されている。
また、電池係止部６１は、電池Ｂとの接触面と反対側の面の回転軸３１側の先端部に、斜面６５が形成されている。斜面６５は、電池係止部６１の回転軸３１側の先端部が、先細りのテーパ状となるように形成されている。
【００２４】
回転軸６２は、その方向を電池室蓋３０の回転軸３１と並行とし、電池室２０の電池Ｂを挟んだ両側の側壁から、それぞれ垂直に立設されている。
回転軸６２は、その軸方向からみたときに、電池Ｂと重なった位置に配置され、また、電池係止部６１と電池Ｂとの接触面におけるその長手方向の中央部から、この接触面の法線方向上に配置されている。
連結部６３は、電池係止部６１の側面と、各回転軸６２との間にわたしてそれぞれ設けられている。
【００２５】
電池係止部付勢バネ６４は、一端部を図示しないカメラボディ、他端部を連結部６３に連結されたバネであり、電池係止装置６０を、その電池係止部６１が電池室蓋３０側に回転する方向に付勢するものである。
【００２６】
図２に示すように、実施例１の電池収容部１０は、電池Ｂを着脱する際には、電池係止装置６０を、その電池係止部６１が電池室蓋３０から離れる方向に回転させることによって、電池係止部６１を電池Ｂが通る通路上から退避させる。なお、このときの電池係止装置６０の位置を、「退避位置」と称する。
この電池係止装置６０の回転は、例えば、ユーザの手動によって電池係止部６１を移動させてもよい。また、電池Ｂを挿入する際には、電池Ｂの挿入方向側の角部が、電池係止装置６０の斜面６５に接し、これを押すことによって電池係止装置６０が回転するようにしてもよい。
【００２７】
図４に示すように、実施例１では、回転軸６２及び連結部６３は、電池室２０の両側に、回転軸６２の軸に沿った方向における収容空間部２１の中央部に対して対称に設けられている。
【００２８】
図６は、本発明のカメラに対する比較例の電池収容部の構成を示す図であって、電池の収容時の状態を示す図である。図７は、図６のVII−VII部拡大図である。以下、上述した実施例１と同様の箇所については同じ符号を付して説明を省略する。
本比較例の電池収容部１１０は、上述した実施例１の電池収容部１０の電池係止装置６０に代えて、以下説明する電池係止部１６０を備えている。
【００２９】
電池係止部１６０は、爪部１６１と、回転軸１６２と、連結部１６３とを有し、また、爪部１６１には、斜面１６５が形成されている。
本比較例では、回転軸１６２は、電池室２０の電池室蓋３０の回転軸３１とは反対側の側面部の外側に設けられている。そして、連結部１６３は、電池係止部１６０が係止位置にあるときに、この側面に沿うように設けられている。爪部１６１の退避位置側の端部と、連結部１６３の回転軸１６２から離れた側の端部とは、これらの長手方向が相互に略直角となるように接合され、Ｌ字状に形成されている。
【００３０】
以下、上述した実施例１と比較例との作用、効果の違いについて説明する。
図６に示すように、電池Ｂは、電池室２０に収容されているときに、電池排出バネ５０によってその排出方向に付勢されている。
一方、電池係止部１６０は、爪部１６１の電池Ｂとの接触面において、電池Ｂを押圧し、この押圧力は、上述した電池排出バネ５０による付勢力Ｆ３と釣り合っている。
このとき、爪部１６１には、回転軸１６２を中心として、退避位置側に回転しようとするモーメントＭ３が生ずる。このため、電池係止部付勢バネ１６４による付勢力Ｆ５は、このモーメントＭ３よりも大きくかつ反対向きの回転モーメントを生じさせ、電池係止部１６０の回転を防止するために、比較的大きくする必要がある。このため、電池Ｂの着脱時に爪部１６１を例えば手動によって退避位置に移動させる場合に、大きな力が必要となって、その操作性が損なわれる。また、電池係止部付勢バネ１６４に大きな付勢力を発揮させるために、そのサイズが大きくなってしまう。
【００３１】
一方、図１に示すように、実施例１においても、比較例と同様に、電池Ｂは、電池排出バネ５０によって、その排出方向に付勢されている。また、電池係止装置６０の電池係止部６１は、電池排出バネ５０の付勢力に釣り合う力Ｆ２で、電池Ｂを押圧している。
図３に示すように、実施例１では、回転軸６２を含み、電池係止部６１の電池Ｂへの接触面に対して垂直な平面Ｐを想定した場合、この接触面は、その一部が平面Ｐよりも退避位置側の範囲に設けられている。そして、前述した接触面の一部は、電池Ｂに押圧されることによって、電池係止部６１を、回転軸６２周りに、退避位置に対する係止位置側（図３における反時計回り）に回転させる回転モーメントＭ１を発生し、接触面の他部は、これと逆回転方向の回転モーメントＭ２を発生させるから、これらが相殺される結果、電池排出バネ５０に起因する電池係止部６１の回転モーメントが生じない。
このため、実施例１では、電池係止部付勢バネ６４の付勢力を弱くしても電池係止装置６０の電池係止部６１が誤って退避位置に移動しにくいから、この付勢力を弱くして手動により電池係止部６１を移動させる際の操作性を向上することができ、また、電池係止部付勢バネ６４をコンパクトにすることができる。
【実施例２】
【００３２】
図５は、本発明を適用したカメラの実施例２の電池収容部の構成を示す図である。なお、上述した実施例１と同様の部分については同じ符号を付して説明を省略し、主に相違点について説明する。
上述した実施例１は、電池係止装置６０の電池係止部６１を、電池室２０の収容空間部２１を挟んだ両側で軸支するものであったが、実施例２の電池係止装置６０’は、図５に示すように、電池係止部６１’を、電池室２０の片側にのみ設けた回転軸６２’によって軸支している。
【００３３】
以上説明した実施例２によれば、上述した実施例１の効果に加えて、電池係止部６１’を片持ちとすることによって、電池収容部をコンパクトにすることができる。
【００３４】
（変形例）
なお、本発明は、上述した実施例によって限定されるものではなく、種々の変形や変更が可能であって、それらも本発明の均等の範囲内である。
（１）本発明は、デジタルカメラ又はフィルムカメラ、レンズ一体的カメラ又はレンズ交換式カメラの別を問わず適用することができる。
（２）上述した実施例では、電池係止部６１の電池との接触面は、その一部が、回転軸６２を含みかつこの接触面に対して垂直な面よりも退避位置側において電池と接しているが、電池係止部の電池との接触面は、その全てが上述した面よりも退避位置側において電池と接するようにしてもよい。
（３）本発明において、電池は、例えば、リチウムイオン電池、ニッケル水素電池等の２次電池、リチウム電池、アルカリ乾電池、オキシライド乾電池等の１次電池を用いることができる。また、本発明は、複数本の電池を保持して電池室に挿入される電池ホルダの脱落を防止するためにも適用することができる。
【図面の簡単な説明】
【００３５】
【図１】本発明を適用したカメラの実施例１の電池収容部の構成を示す図であって、電池の収容時の状態を示す図である。
【図２】図１の電池収容部における電池の着脱時の状態を示す図である。
【図３】図１のIII部拡大図である。
【図４】図１の電池収容部の要部斜視図である。
【図５】本発明を適用したカメラの実施例２の電池収容部の要部斜視図である。
【図６】本発明のカメラに対する比較例の電池収容部の構成を示す図である。
【図７】図６のVII−VII部拡大図である。
【符号の説明】
【００３６】
１０    電池収容部
２０    電池室
２１    収容空間部
２２    開口
３０    電池室蓋
３１    回転軸
４０    電極
５０    電池排出バネ
６０    電池係止装置
６１    電池係止部
６２    回転軸
６３    連結部
６４    電池係止部付勢バネ
６５    斜面
Ｂ    電池
Ｂｔ  接点
【図１】
2006039075.tif 000003
【図２】
2006039075.tif 000004
【図３】
2006039075.tif 000005
【図４】
2006039075.tif 000006
【図５】
2006039075.tif 000007
【図６】
2006039075.tif 000008
【図７】
2006039075.tif 000009